(57)【要約】【課題】  本考案は、携行便利な小型のファイルにおいて多数のカードを区分けして収納することができるようにした蛇腹ポケット付きファイルを新規に提供するものである。【解決手段】  本考案は２つ折りファイルの一半の内面に複層のポケットとしての蛇腹ポケットを設けたことを特徴とする蛇腹ポケット付きファイルにある。蛇腹ポケットは２つ折りファイルの一側の内面の下半に区分出入口を上向きにして設け，該内面の上半に下半方向に開き下がる前片を有す収納ポケットを並設したハーフポケットを設けることもある。【選択図】図１
0003147538.tif 000002
【実用新案登録請求の範囲】
【請求項１】
２つ折り展開形のファイルの内側にカード等を出し入れする複数の区分出入口を有す蛇腹ポケットを設けたことを特徴とする蛇腹ポケット付きファイル。
【請求項２】
蛇腹ポケットの前面にインデックス入れを設ける請求項１に記載の蛇腹ポケット付きファイル。
【請求項３】
蛇腹ポケットは２つ折りファイルの一側の内面の下半に区分出入口を上向きにして設け，該内面の上半に下半方向に開き下がる前片を有すハーフポケットを設け、該ハーフポケットにマチ付きポケット，マチ付きカードホルダー等の収納ポケットを並設する請求項１または２に記載の蛇腹ポケット付きファイル。
【請求項４】
２つ折り展開形のファイルの内側に展開大きさの大型ポケットを設け、該大型ポケットの一側内面に前記の蛇腹ポケットとハーフポケットを取付ける請求項３に記載の蛇腹ポケット付きファイル。
【請求項５】
２つ折り展開形のファイルはＡ５版またはＢ６版のサイズである請求項１乃至４のいずれかに記載の蛇腹ポケット付きファイル。
【考案の詳細な説明】
【技術分野】
【０００１】
この考案は多数のカード類を区分けして整理収納する蛇腹ポケット付きファイルに関するものである。
【背景技術】
【０００２】
この種のファイルとしては登録実用新案第３１４５２２４号公報がある。該公報は見開きファイルの表紙の内面にカード状の保険証や各種病院の診察カードなどのカード類を出し入れする収納体（ポケット）を複数個並べて設けることを記載している（図１参照）。
【特許文献１】登録実用新案第３１４５２２４号公報
【考案の開示】
【考案が解決しようとする課題】
【０００３】
しかしながら、表紙の内面にポケットを並べて設けるには数に限界があり、特にハンドバッグ，手提げ袋などに入れて携行に便利な大きさのＡ５版，Ｂ６版サイズのファイルにおいては多数のポケットを並べて設けることはできないという課題がある。
【課題を解決するための手段】
【０００４】
本考案は、２つ折り展開形のファイル内に複数個の区分出入口を有す蛇腹ポケットを設けて、かかる課題を解消したのである。
【考案の効果】
【０００５】
本考案は２つ折り展開形のファイルの内側に蛇腹ポケットを設けたので、ポケット１個分の大きさにて多数のカード類を区分けして収納することができて、カードの出し入れをスムースにするという効果を生ずる。
【０００６】
複数個の区分出入口を有す蛇腹ポケットは蛇腹が広狭することでカード類の収納量を多くすることができ、しかも蛇腹の収縮付勢圧によって収納するカードは挟み押えられてみだりに抜け出ししなくなるという効果を生ずる。
【０００７】
蛇腹ポケットはポケットを平面的に並べ設けるのに較べて著しく小さい面積にて多数のカードを区分して収納することができて、２つ折り展開形のファイルを携帯便利にして小型化することができるという効果を生ずる。
【０００８】
蛇腹ポケットの前面にインデックス入れを設けることで、インデックスを容易に取出して各種の見出しに使用することができるという効果を生ずる。
【０００９】
２つ折り展開形のファイルの内側の下半に蛇腹ポケットを設けて、その上半に下半方向に開き下がる前片を有すハーフポケットを設けるときは、２倍の長さに拡がるハーフポケットにマチ付きポケットとマチ付きカードホルダー等の収納ポケットを並設することができて、カードその他の収容量が倍加するという効果を生ずる。
【考案を実施するための最良の形態】
【００１０】
本考案は、Ａ５版，Ｂ６版などの携行に便利な大きさの２つ折り展開形のファイルの一側内面の下半に複数個の区分出入口を有す蛇腹ポケットを設け、その上半に下半方向に開き下がる２倍の長さのハーフポケットを設けるようにしたのである。蛇腹ポケットは多数のカード類を区分けして収納することができ、ハーフポケットのカバーでもある前片を開き下げると２倍の大きさになって、カード、その他の収納機能を一層増大し充実することができることとなる。このファイルはハンドバッグ，手提げ袋などに入れて容易に携行することができるものである。
【実施例１】
【００１１】
図１乃至図２は第１実施例であって、ハンドバッグ，手提げ袋などに入れて容易に携行することのできる大きさであるＡ５版サイズの２つ折り展開形のファイル１の一半の内面の下半に左右側面と下面に複数の蛇腹２ａを有し、区分出入口２ｂを上向きにして、仕切板２ｃにて３個のポケット２ｄに仕切った蛇腹ポケット２を取付けする。２ｅは取付け溶着部である。
【００１２】
蛇腹ポケット２の蛇腹２ａ部分は常態では収縮していて重なっており、カードＣを入れるるとその分において蛇腹２が拡がることとなる。カードＣは１枚乃至複数枚をまとめて各ポケット２ｄ内に収納することができる。収納したカードＣは１枚でも複数枚でも蛇腹２の収縮付勢圧によって挟み押えされてみだりに抜け出したりしないものとなる。蛇腹ポケット２は２層また４層等に仕切ることもある。
蛇腹ポケット２により、例えば医療関係であれば、保険証カードのほか、内科病院，眼科病院，耳鼻科病院などの各診察券カードと外部薬局の発行する顧客用カードなど多数のカードＣを区分して収納することができるため、カード類のしまい忘れ，紛失等を防止することができる。生活廻りで発行される会員カード，ポイントカードなどの多数のカードＣも同様にして区分して収納することができる。
【実施例２】
【００１３】
図３は蛇腹ポケット２の前面に上辺を開口したインデックス入れ３を設けた例を示すもので、インデックス４を見易く収納し取出すことができることとなる。
【実施例３】
【００１４】
図４は蛇腹ポケット２の上半上にハーフポケット５を設けた例を示すものである。ハーフポケット５は蓋５ａを外すと前片５ｂが開き下がって収納ポケットとしてマチ付ポケット５ｃとマチ付カードホルダー５ｄ，５ｄが現れるようになっている。５ｅ，５ｆは掛止用の舌片と切溝である。なお、ハーフポケット５は前片５ｂを戻し上げると下半の蛇腹ポケット２が表出し、カードＣの出し入れに対応することとなる。
【実施例４】
【００１５】
図５は２つ折り展開形のファイル１の内側に該ファイル１の展開大の大きさとする大型ポケット６を設け、該大型ポケット６の一半内面の下半に蛇腹ポケット２、上半にハーフポケット５を形成した実施例を示すものである。ファイル１の展開大の大きさの大型ポケット６を設けることで、ファイル１が例えばＡ５版サイズであっても大型ポケット６内にはＡ４サイズの書面Ｐを折らずに収納することができることとなる。なおファイル１をＢ６版サイズに形成するときは大型ポケット６はＢ５版サイズの書面を折らずに収納することができるものとなる。
【産業上の利用可能性】
【００１６】
本考案は、医療関係，生活廻りなどで増加する多数のカードを携行に便利な大きさのファイル内に整理収納し得るものとして広く利用することができるものである。
【図面の簡単な説明】
【００１７】
【図１】蛇腹ポケットを示すファイルの展開正面図
【図２】同、（ａ）は収縮した状態の蛇腹ポケットを示す部分拡大平面図、（ｂ）は同、蛇腹ポケットの拡がり状態を示す平面図
【図３】インデックス入れを設けた例を示す正面図
【図４】蛇腹ポケット上の上半にハーフポケットを設けた例を示すもので、（ａ）はハーフポケットを閉じた状態にて示す正面図、（ｂ）はハーフポケットの前片を開きつつある状態を示す側面図、（ｃ）はハーフポケットをの前片を開き下げた状態にて示す正面図
【図５】ファイルの内側にファイルの展開大きさの大型ポケットを設けて、その内面に前記の蛇腹ポケットとハーフポケットを取付けた例を示す正面図
【符号の説明】
【００１８】
１はファイル
２は蛇腹ポケット
２ａは蛇腹
２ｂは区分出入口
２ｃは仕切板
２ｄはポケット
２ｅは取付け溶着部
３はインデックス入れ
４はインデックス
５はハーフポケット
５ａは蓋
５ｂは前片
５ｃはマチ付ポケット
５ｄはマチ付カードホルダー
５ｅは舌片
５ｆは切溝
６は大型ポケット
６ａは溶着部
７は２つ折り展開形のファイル内に綴じ設けた収納袋
Ｃはカード
ＰはＡ４版サイズの書面
【図１】
0003147538.tif 000003
【図２】
0003147538.tif 000004
【図３】
0003147538.tif 000005
【図４】
0003147538.tif 000006
【図５】
0003147538.tif 000007